(57)【要約】      （修正有）【課題】気密性や水密性に影響を与えることなく換気フレーム材を支持することのできる建具を提供する。【解決手段】２つの縦框２１の間に架け渡すように設けられた換気框３０を備え、縦框２１には、面材の一方の表面を支持する支持ヒレ部２０２が設けられているとともに、面材の他方の表面を支持するための押縁が装着される装着溝２０３が設けられ、換気框３０は、両端部に装着したキャップ部材４０の間に見込み方向に沿った通気を可能とする換気機構を備え、キャップ部材４０の壁部４３を介して縦框２１の支持ヒレ部２０２に支持されるものであり、キャップ部材４０には縦框２１の装着溝２０３に挿入することによってキャップ部材４０が支持ヒレ部２０２から離隔する方向の移動を制限する係合部材が設けられている。【選択図】図６
2019218850.tif 000002
【特許請求の範囲】
【請求項１】
互いに間隔を確保して配置される２つの支持フレーム材と、前記２つの支持フレーム材の間に架け渡すように設けられた換気フレーム材とを備え、
前記支持フレーム材には、面材の一方の表面を支持する支持ヒレ部が設けられているとともに、前記面材の他方の表面を支持するための押縁が装着される装着溝が設けられ、
前記換気フレーム材は、両端部に装着したキャップ部材の間に見込み方向に沿った通気を可能とする換気機構を備え、前記キャップ部材の一方の壁部を介して前記支持フレーム材の支持ヒレ部に支持されるものであり、
前記キャップ部材と前記支持フレーム材との間には、前記キャップ部材が前記支持ヒレ部から離隔する方向の移動を制限し、かつ前記押縁とは別個に構成された規制手段が設けられていることを特徴とする建具。
【請求項２】
前記規制手段は、前記キャップ部材に設けられ、延在端部が前記支持フレーム材の装着溝に挿入される係合部材を備えていることを特徴とする請求項１に記載の建具。
【請求項３】
前記係合部材は、前記キャップ部材に対して移動可能に支持され、前記支持フレーム材の装着溝から逸脱した退避位置と、前記支持フレーム材の装着溝に挿入された係合位置とに変位することを特徴とする請求項２に記載の建具。
【請求項４】
前記係合部材は、弾性部材によって成形され、延在端部が前記キャップ部材から突出する位置に配置されたものであり、
前記係合部材において前記キャップ部材から突出した部分には傾斜面が設けられ、
前記傾斜面は、前記キャップ部材から突出するに従って前記一方の壁部との距離が漸次増大するように傾斜していることを特徴とする請求項２に記載の建具。
【請求項５】
前記規制手段は、前記換気フレーム材と前記支持フレーム材との間にわたって配置され、これら換気フレーム材及び支持フレーム材に対してそれぞれネジによって固定された係合部材を備えていることを特徴とする請求項１に記載の建具。
【請求項６】
前記キャップ部材は、前記支持フレーム材の装着溝に対向する部分に挿入溝が設けられたものであり、
前記規制手段は、前記キャップ部材の挿入溝と前記支持フレーム材の装着溝との間にわたって配置される平板状の係合部材を備えていることを特徴とする請求項１に記載の建具。
【請求項７】
前記規制手段は、前記キャップ部材と前記支持フレーム材の装着溝との間にわたって配置され、固定手段によって前記キャップ部材に取り付けられる係合部材を備えていることを特徴とする請求項１に記載の建具。
【請求項８】
前記キャップ部材には、固定用ネジ孔が設けられた固定金具が取り付けられ、
固定ネジを前記固定用ネジ孔に螺合することによって前記係合部材が前記キャップ部材に取り付けられていることを特徴とする請求項７に記載の建具。
【請求項９】
前記係合部材と前記固定金具との間には、相対回転を制限する回転規制部材が設けられていることを特徴とする請求項８に記載の建具。
【請求項１０】
前記換気フレーム材には、前記面材の一方の表面を支持する面材保持部が設けられているとともに、前記面材の他方の表面を支持するための押縁が装着される補助装着溝が設けられ、
前記係合部材には、前記補助装着溝に装着された押縁の装着片部を保持する押縁保持片部が設けられていることを特徴とする請求項７に記載の建具。
【発明の詳細な説明】
【技術分野】
【０００１】
本発明は、換気機構が設けられた換気フレーム材を備える建具に関するものである。
【背景技術】
【０００２】
建具には、換気機構を備えるものがある。換気機構としては、障子の上框や下框に直接設けられたもののほか、専用の換気框に設けられたものも提供されている。換気框は、例えば上框の内周側に並設され、面材の上縁部を支持する部材となるものである。換気框を備える建具によれば、障子の上框や下框としては通常の建具用のものを適用した上で、換気機能を追加できるという利点がある（例えば、特許文献１参照）。
【先行技術文献】
【特許文献】
【０００３】
【特許文献１】特開２０１３−２８９８５号公報
【発明の概要】
【発明が解決しようとする課題】
【０００４】
ところで、上述の建具では、換気框の両端部が縦框の支持ヒレ部と押縁との間に挟持されている。このため、縦框に装着された押縁は、面材の表面と換気框の表面とにわたって配置されることになる。
【０００５】
ここで、押縁は、本来面材の表面を支持することによって面材との間の気密性や水密性を確保するものである。従って、押縁と面材の表面との間や押縁と換気框の表面との間に隙間が生じることは好ましくない。上述の建具では、押縁と換気框との間にスペーサを介在させることにより、互いの間に隙間が生じる事態を防止するようにしている。しかしながら、面材や換気框の取付状態によっては、面材の表面よりも換気框の表面が突出する場合もある。こうした状況にあっては、押縁と面材の表面との間に隙間が生じる事態を防止することが困難となり、気密性や水密性に影響を及ぼすおそれがある。なお、上述の問題は、障子に専用の換気框を設けたものに限らず、ＦＩＸ窓のように枠材に直接面材を支持させた枠体に専用の換気フレーム材を設ける場合にも同様に生じ得る。
【０００６】
本発明は、上記実情に鑑みて、気密性や水密性に影響を与えることなく換気フレーム材を支持することのできる建具を提供することを目的とする。
【課題を解決するための手段】
【０００７】
上記目的を達成するため、本発明に係る建具は、互いに間隔を確保して配置される２つの支持フレーム材と、前記２つの支持フレーム材の間に架け渡すように設けられた換気フレーム材とを備え、前記支持フレーム材には、面材の一方の表面を支持する支持ヒレ部が設けられているとともに、前記面材の他方の表面を支持するための押縁が装着される装着溝が設けられ、前記換気フレーム材は、両端部に装着したキャップ部材の間に見込み方向に沿った通気を可能とする換気機構を備え、前記キャップ部材の一方の壁部を介して前記支持フレーム材の支持ヒレ部に支持されるものであり、前記キャップ部材と前記支持フレーム材との間には、前記キャップ部材が前記支持ヒレ部から離隔する方向の移動を制限し、かつ前記押縁とは別個に構成された規制手段が設けられていることを特徴とする。
【発明の効果】
【０００８】
本発明によれば、換気フレーム材のキャップ部材を押縁とは別個の規制手段と支持フレーム材の支持ヒレ部とによって支持するようにしている。このため、押縁によってキャップ部材を挟持する必要がなく、キャップ部材の表面位置と面材の表面位置との差が押縁と面材の表面との相対位置に影響を及ぼすことがない。これにより、気密性や水密性に影響を与えることなく換気フレーム材を支持することが可能となる。
【図面の簡単な説明】
【０００９】
【図１】本発明の実施の形態１である建具を室外側から見た図である。
【図２】図１におけるＸ−Ｘ線断面図である。
【図３】図１に示した建具に適用する換気フレーム材の斜視図である。
【図４】図１に示した建具に適用する障子の分解斜視図である。
【図５】図３に示した換気フレーム材の要部を示すもので、（ａ）はロックユニットを取り付ける以前の分解斜視図、（ｂ）はロックユニットを取り付けた状態において係合部材の一部を破断して示す分解斜視図である。
【図６】図３に示した換気フレーム材及び支持フレーム材を示すもので、（ａ）は換気フレーム材を取り付ける以前の要部横断面図、（ｂ）は換気フレーム材を取り付けた状態の要部横断面図である。
【図７】図１に示した建具に適用する係合部材及び取付ベースから成るロックユニットの斜視図である。
【図８】図７に示したロックユニットを示すもので、（ａ）は係合部材が退避位置に配置された状態の図、（ｂ）は係合部材が係合位置に配置された状態の図である。
【図９】図７に示したロックユニットの変形例１を示す斜視図である。
【図１０】図９に示したロックユニットを取り付けた状態の換気フレーム材を示す要部斜視図である。
【図１１】本発明の実施の形態２である建具に適用する換気フレーム材の要部を一部破断して示す斜視図である。
【図１２】図１１に示した換気フレーム材及び支持フレーム材を示すもので、（ａ）は換気フレーム材を取り付ける以前の要部横断面図、（ｂ）は係合部材が弾性変形した状態の要部横断面図、（ｃ）は換気フレーム材を取り付けた状態の要部横断面図である。
【図１３】本発明の実施の形態３である建具に適用する換気フレーム材及び支持フレームの要部を示す要部横断面図である。
【図１４】図１３に示した換気フレーム材及び支持フレームの変形例２を示す要部横断面図である。
【図１５】本発明の実施の形態４である建具において面材及び押縁を取り付ける以前の要部を示す斜視図である。
【図１６】本発明の実施の形態５である建具を示すもので、（ａ）は室外側から見た要部斜視図、（ｂ）は室外側から見た要部分解斜視図である。
【図１７】図１６に示した建具の要部を示す拡大横断面図である。
【図１８】図１６に示した建具においてキャップ部材を構成するキャップ本体部の斜視図である。
【図１９】図１６に示した建具においてキャップ部材を構成するキャップカバー部の斜視図である。
【図２０】図１６に示した建具に適用する固定金具の斜視図である。
【図２１】図１６に示した建具において換気フレーム材の内部構成を一部省略して室外側から見た斜視図である。
【図２２】図１６に示した建具において換気フレーム材の内部構成を一部省略して外周側から見た斜視図である。
【図２３】図１６に示した建具に適用する係合部材の斜視図である。
【図２４】図１６に示した建具において固定金具に係合部材を取り付ける以前の状態を一部省略して室外側から見た斜視図である。
【図２５】図１６に示した建具において固定金具に係合部材を取り付けた状態を一部省略して室外側から見た斜視図である。
【図２６】図１６に示した建具の変形例３を示すもので、（ａ）は室外側から見た要部斜視図、（ｂ）は室外側から見た要部分解斜視図である。
【図２７】図２６に示した建具に適用する係合部材の斜視図である。
【発明を実施するための形態】
【００１０】
以下、添付図面を参照しながら本発明に係る建具の好適な実施の形態について詳細に説明する。
【００１１】
（実施の形態１）
図１〜図４は、本発明の実施の形態１である建具を示したものである。ここで例示する建具は、枠体１０に対して室外側の外障子２０Ａ及び室内側の内障子２０Ｂをそれぞれ左右方向にスライド可能に配設した引き違い窓と称されるものである。図示の例では、室外側から見た場合、左側に外障子２０Ａを配置し、かつ右側に内障子２０Ｂを配置することによって枠体１０を閉じることが可能となるように構成してある。但し、引き違い窓の構成としては、室外側から見た場合、右側に外障子２０Ａを配置し、かつ左側に内障子２０Ｂを配置することによって枠体１０を閉じることが可能となるように構成しても良い。
【００１２】
枠体１０は、左右の縦枠１１、上枠１２及び下枠１３を四周枠組みすることによって構成したものである。外障子２０Ａ及び内障子２０Ｂは、左右で互いに対称となるように構成したものである。本実施の形態１では、互いに間隔を確保して配置された左右の縦框（支持フレーム材）２１の間に、互いに間隔を確保して上框２２及び下框２３を架設することによってそれぞれの障子２０Ａ，２０Ｂの框組２４が構成してある。個々の框組２４には、上框２２の下縁に沿って換気框（換気フレーム材）３０が配設してあり、さらに左右の縦框２１、下框２３及び換気框３０によって囲まれる領域に、矩形状を成す複層ガラス等の面材２５が配置してある。
【００１３】
框組２４を構成する左右の縦框２１、上框２２及び下框２３は、樹脂によって成形した押し出し形材であり、長手方向の全長にわたってほぼ一様な断面形状を有するように構成してある。本実施の形態１では特に、縦框２１、上框２２及び下框２３が互いに同一の断面形状を有するように構成してある。これらの框材２１，２２，２３は、両端部に４５°の接合面を有しており、互いの接合面を熱溶着することによって矩形状の框組２４を構成している。それぞれの框材２１，２２，２３は、矩形の筒状を成す基部２０１を有したもので、基部２０１の内周側となる見込み面２０１ａに支持ヒレ部２０２及び装着溝２０３を有している。支持ヒレ部２０２は、框材２１，２２，２３の見込み面２０１ａにおいて室内側となる縁部から内周側に突出した部分であり、個々の框材２１，２２，２３の長手方向に沿った全長にわたって設けてある。装着溝２０３は、框材２１，２２，２３の見込み面２０１ａにおいて室外側となる縁部に設けた凹部であり、個々の框材２１，２２，２３の長手方向に沿った全長にわたって設けてある。
【００１４】
ここで、見込み面とは、見込み方向に沿った面のことである。見込み方向とは、図中の矢印Ａで示すように、建具の奥行きに沿った方向である。また、見付け方向という用語も用いる。見付け方向は、上枠１２や下枠１３等のように水平方向に沿って延在するものの場合、見込み方向に直交した上下に沿う方向である。縦枠１１等のように上下方向に沿って延在するものの場合には、見込み方向に直交した水平に沿う方向を見付け方向という。見付け方向に沿った面については、見付け面と称する場合がある。
【００１５】
換気框３０は、框組２４を構成する框材２１，２２，２３と同様、樹脂によって成形した押し出し形材であり、長手方向の全長にわたってほぼ一様な断面形状を有するように構成してある。換気框３０の両端は、長手方向に対して直角となるように構成してある。換気框３０の長手に沿った寸法は、縦框２１のそれぞれに設けた支持ヒレ部２０２の先端相互間距離よりも小さい。本実施の形態１では、外周側の取付部３１と、内周側の面材保持部３２と、これら取付部３１及び面材保持部３２の間に設けた連結部３３とを有して換気框３０が構成してある。
【００１６】
取付部３１は、上框２２に取り付けられる部分であり、見込み方向に沿った寸法が、上框２２の支持ヒレ部２０２から室外側の見付け面２０２ａまでの距離にほぼ等しくなるように構成してある。取付部３１の外周部には、係合ヒレ部３１ａが設けてある。係合ヒレ部３１ａは、上框２２の装着溝２０３に係合可能となる薄板状部分であり、外周側に向けて突出した後、外周に向けて漸次内方となるように延在している。
【００１７】
面材保持部３２は、面材２５の上縁部を支持する部分であり、内周側となる見込み面３２ａに支持板部３２ｂ及び補助装着溝３２ｃを有している。支持板部３２ｂは、面材保持部３２の見込み面３２ａにおいて室内側となる縁部から内周側に突出した板状部分である。支持板部３２ｂの突出寸法は、上框２２に設けた支持ヒレ部２０２の突出寸法とほぼ同じとなるように構成してある。補助装着溝３２ｃは、上框２２の装着溝２０３と同じ形状を有した凹部であり、見込み面３２ａの室外側となる縁部に設けてある。
【００１８】
連結部３３は、見込み方向に沿った寸法が取付部３１及び面材保持部３２よりも小さく構成された上下に沿う中空の板状部分であり、室外側に片寄った位置に設けてある。図には明示していないが、この連結部３３には、長手方向に沿って長孔状となる複数の通気孔３３ａが等間隔に設けてある。通気孔３３ａは、連結部３３を見込み方向に貫通する開口である。
【００１９】
上述の構成を有する換気框３０には、取付部３１と面材保持部３２との間において連結部３３よりも室外側となる外方空間に室外側開閉機構３０１が設けあるとともに、連結部３３よりも室内側となる内方空間に室内側開閉機構３０２が設けてあり、さらに両端部にキャップ部材４０が設けてある。
【００２０】
室外側開閉機構３０１及び室内側開閉機構３０２は、連結部３３に設けた通気孔３３ａとともに換気機構を構成するものである。本実施の形態１では、換気框３０の室外側及び室内側において連結部３３に設けた通気孔３３ａを覆うように設けられ、見込み方向に沿った通気を許容する開放状態と、見込み方向に沿った通気を遮断する遮断状態とに切り替わる室外側開閉機構３０１及び室内側開閉機構３０２を適用している。図には明示していないが、室外側開閉機構３０１及び室内側開閉機構３０２は、互いに連動するように連係してある。さらに室内側開閉機構３０２の室内に臨む部分には、開放状態と遮断状態とに切り替えるための操作部３０３が設けてある。つまり、換気框３０に設けた室外側開閉機構３０１及び室内側開閉機構３０２は、室内において操作部３０３を操作することにより、開放状態と遮断状態とを切り替えることが可能である。本実施の形態１では、操作部３０３を左右にスライドさせることによってそれぞれの開閉機構３０１，３０２が切り替わるように構成してある。また、室内側開閉機構３０２には、操作部３０３のみを外部に露出させるように、カバー部材３０４が設けてある。カバー部材３０４には、室内側開閉機構３０２が開放状態となった場合の通気を妨げることのないように、多数のスリット３０４ａが形成してある。なお、図中の符号３０５は、フィルタ部材である。
【００２１】
キャップ部材４０は、左右で互いに対称となるように構成したもので、図５及び図６に示すように、換気框３０の端面とほぼ同じ大きさの矩形状を成す基板部４１と、基板部４１の室外側縁部及び室内側縁部から互いに対向するように延在した２つの側壁部４２，４３とを樹脂によって一体に成形してある。それぞれのキャップ部材４０は、基板部４１を介して換気框３０の端部にネジＳを螺合することによって固定してあり、基板部４１によって室外側開閉機構３０１及び室内側開閉機構３０２を含む換気框３０の両端面を閉塞している。すなわち、キャップ部材４０は、換気框３０の端部を迂回した室内外での通気を不可とすることにより、それぞれの開閉機構３０１，３０２が遮断状態となった場合に通気の漏れを防止する機能を有したものである。
【００２２】
キャップ部材４０において換気框３０の長手に沿った寸法は、縦框２１の相互間に換気框３０を配設した場合に両端部のキャップ部材４０がそれぞれの室内側に位置する側壁部（一方の壁部）４３を介して縦框２１の支持ヒレ部２０２に同時に当接させることができるように構成してある。一方、キャップ部材４０の見込み方向に沿った寸法は、縦框２１において支持ヒレ部２０２の室外に臨む見付け面２０２ａから縦框２１の室外に臨む見付け面２１ａまでの距離よりもわずかに小さく、かつキャップ部材４０の室内側に位置する側壁部４３を縦框２１の支持ヒレ部２０２に支持させた場合に、縦框２１の装着溝２０３を覆うことができるように構成してある。
【００２３】
それぞれのキャップ部材４０には、室外側に位置する側壁部４２の下面に延長装着溝４４が設けてあるとともに、２つの側壁部４２，４３の間にロックユニット５０が収容してある。延長装着溝４４は、換気框３０の補助装着溝３２ｃに対してその延長上に位置するもので、補助装着溝３２ｃと同一の形状に構成してある。
【００２４】
ロックユニット５０は、図５、図７、図８に示すように、Ｌ字状の断面を有する取付ベース５１と、軸部材５２により取付ベース５１に対して回転可能に配設した係合部材５３とを備えて構成したもので、取付ベース５１を介してキャップ部材４０に取り付けてある。取付ベース５１、軸部材５２及び係合部材５３は、いずれも金属によって成形してある。ロックユニット５０の換気框３０への取り付けは、係合部材５３の回転軸心が見込み方向に沿う状態で、キャップ部材４０を換気框３０に取り付けるためのネジＳにより取付ベース５１を介して共締めしてある。
【００２５】
係合部材５３には、係合板部５３ａとロック板部５３ｂとが一体に形成してある。係合板部５３ａは、軸部材５２から径方向に延在した後、室外側に向けてほぼ直角に屈曲して延在し、さらに延在端部からほぼ直角に屈曲したものである。係合板部５３ａの屈曲した延在端部（以下、係合端部５３ｃという）は、軸部材５２を中心として回転した場合に側壁部４２，４３の端縁から突出した係合位置と、側壁部４２，４３の端縁よりも退行した退避位置とに変位することが可能である。係合端部５３ｃは、キャップ部材４０の室内側に位置する側壁部４３を縦框２１の支持ヒレ部２０２に当接させた場合に縦框２１の装着溝２０３とほぼ同じ位置となるように構成してある。ロック板部５３ｂは、軸部材５２を中心として係合板部５３ａからほぼ９０°ずれた位置において径方向に延在した後、室外側に向けて屈曲したものである。より具体的に説明すると、係合板部５３ａの係合端部５３ｃが係合位置に配置された場合に、軸部材５２の下方に位置するようにロック板部５３ｂが設けてある。ロック板部５３ｂには、室外側に向けて屈曲した屈曲部に矩形状のロック孔５３ｄが設けてある。
【００２６】
また、キャップ部材４０の基板部４１には、弾性係合片４５が設けてある。弾性係合片４５は、係合端部５３ｃが係合位置に配置された場合にロック板部５３ｂに対してその上方で対向するように突出したもので、先端部の下面に係合突起４５ａを有している。係合突起４５ａは、係合端部５３ｃが係合位置に配置された場合にロック孔５３ｄを介してロック板部５３ｂに係合するものである。
【００２７】
上記のように構成した換気框３０は、図１及び図４に示すように、左右の縦框２１、上框２２及び下框２３によって框組２４を構成した後、面材２５を装着する以前に上框２２の下面に取り付けられる。換気框３０の取り付けにあたっては、取付部３１の室内に臨む見付け面３１ｂ及びキャップ部材４０の室内側に位置する側壁部４３にそれぞれ接着剤もしくは両面テープを装着する。その後、図２及び図６（ａ）に示すように、係合部材５３を退避位置に保持した状態で上框２２の装着溝２０３に係合ヒレ部３１ａを挿入しながら、取付部３１の室内に臨む見付け面３１ｂを上框２２の支持ヒレ部２０２に押し付けて支持させるとともに、キャップ部材４０の室内側に位置する側壁部４３を縦框２１の支持ヒレ部２０２に押し付けて支持させる。
【００２８】
このとき、退避位置に保持した係合部材５３が縦框２１に干渉することはなく、換気框３０を取り付ける際の作業性を損なうことがない。取付部３１の室内に臨む見付け面３１ｂ及びキャップ部材４０の室内側に位置する側壁部４３をそれぞれ対応する支持ヒレ部２０２に支持させた後においては、例えば、キャップ部材４０の２つの側壁部４２，４３の相互間に工具を挿入し、係合部材５３を回転させて係合位置に配置させる。これにより、図６（ｂ）に示すように、側壁部４２，４３の端縁から突出した係合板部５３ａが縦框２１の装着溝２０３に挿入された状態となる。
【００２９】
この状態においては、換気框３０の取付部３１と上框２２の支持ヒレ部２０２との間が接着されるとともに、取付部３１の係合ヒレ部３１ａが上框２２の装着溝２０３に係合された状態となる。また、換気框３０の両端部に設けたキャップ部材４０が縦框２１の支持ヒレ部２０２に接着され、かつ係合部材５３の係合端部５３ｃが縦框２１の装着溝２０３に係合された状態となる。これらの結果、換気框３０は、上框２２及び縦框２１に対して見込み方向に沿った移動及び上下方向への移動が制限された状態で框組２４に取り付けられることになる。その後に左右の縦框２１、換気框３０及び下框２３によって囲まれる領域に面材２５を配置し、例えば面材２５の一方の表面をそれぞれの支持ヒレ部２０２及び支持板部３２ｂに接着するとともに、装着溝２０３及び補助装着溝３２ｃにそれぞれ押縁２６を装着すれば、押縁２６が面材２５の他方の表面を支持することになる。これにより、面材２５が支持ヒレ部２０２、支持板部３２ｂと押縁２６との間に支持された障子２０Ａ，２０Ｂを構成することができる。この実施の形態１においては、框材２１，２２，２３と同様、押縁２６の両端部に４５°の接合面を形成するようにしている。
【００３０】
上述の障子２０Ａ，２０Ｂを備える建具にあっては、障子２０Ａ，２０Ｂによって枠体１０の開口を閉じた状態においても、換気框３０の操作部３０３を左右にスライドさせることで室外側開閉機構３０１及び室内側開閉機構３０２を開放状態に操作すれば、室外と室内との間で通気が可能となり、室内を換気することができるようになる。しかも、換気框３０のキャップ部材４０は、室外側の側壁部４２がいずれも外部に露出した状態である。換言すれば、框材２１，２２，２３及び換気框３０に装着する押縁２６は、いずれも面材２５の表面にのみ配置される構成となり、キャップ部材４０を覆う構成にない。従って、面材２５の表面位置とキャップ部材４０の表面位置とに差があったとしても、その差が押縁２６と面材２５の表面との相対位置に影響を及ぼすことがなく、押縁２６と面材２５との間の気密性や水密性が損なわれるおそれがない。
【００３１】
加えて、キャップ部材４０に設けた係合部材５３が縦框２１の装着溝２０３に挿入されているため、キャップ部材４０が縦框２１の支持ヒレ部２０２から離隔する方向の移動が制限される。これにより、縦框２１に対してキャップ部材４０が突出する事態を招来するおそれがない。さらに、框組２４を構成する框材２１，２２，２３としては、四周で同一の断面形状のものを適用することが可能であるばかりでなく、換気機構を有していない建具の框材を流用することが可能であり、意匠性の点や製造コストの点でも有利となる。
【００３２】
なお、実施の形態１では、キャップ部材４０に設けた弾性係合片４５に係合部材５３のロック板部５３ｂを係合させることによって退避位置に保持するようにしているが、本発明はこれに限定されない。例えば、図９及び図１０に示す変形例１のロックユニット５０′のように、取付ベース５１にネジ挿通孔５４ａを有した保持片部５４を設けるとともに、ロック板部５３ｂのロック孔５３ｄをネジ孔５３ｅに変更し、係合部材５３が退避位置に配置された場合に保持片部５４のネジ挿通孔５４ａを介してロック板部５３ｂのネジ孔５３ｅにネジ５５を螺合するようにしても良い。なお、変形例１において実施の形態１と同様の構成については同一の符号が付してある。
【００３３】
（実施の形態２）
上述した実施の形態１では、キャップ部材４０に設けられる係合部材５３として、軸部材５２によって回転可能に支持され、退避位置と係合位置とに変位するものを例示しているが、本発明はこれに限定されない。例えば、図１１及び図１２に示す実施の形態２のように、弾性部材によって成形した係合部材６０を適用すれば、換気框３０の取り付け後に係合部材６０を操作する作業を不要とすることも可能である。以下、実施の形態２の建具で適用するキャップ部材７０及び係合部材６０について説明を行う。なお、キャップ部材７０及び係合部材６０以外の構成については実施の形態１と同様であるため、同一の符号を付してそれぞれの詳細説明を省略する。また、キャップ部材７０が左右で対称形状であるのは実施の形態１と同様である。
【００３４】
実施の形態２の建具で適用するキャップ部材７０は、基板部４１、２つの側壁部４２，４３、延長装着溝４４を有する点で実施の形態１のキャップ部材４０と一致し、弾性係合片４５を有していない点及び位置決めダボ７１を有する点で実施の形態１のキャップ部材４０と相違する。位置決めダボ７１は、円柱状を成す突出部であり、基板部４１においてキャップ部材７０を換気框３０に共締めする際にネジＳが挿通されるネジ挿通孔（図示せず）の上方に設けてある。
【００３５】
実施の形態２の建具で適用する係合部材６０は、弾性部材によって一体に成形したもので、平板状を成す取付基板部６１を介してキャップ部材７０の基板部４１に取り付けてある。取付基板部６１には、室外側に位置する縁部に取付孔６１ａが上下に２つ設けてある。取付孔６１ａは、上方に位置するものに位置決めダボ７１を挿通させた場合に、下方に位置するものが基板部４１のネジ挿通孔（図示せず）に合致するように構成してある。
【００３６】
この係合部材６０には、取付基板部６１の室内側に位置する縁部に可撓板部６２が設けてある。可撓板部６２は、取付基板部６１からキャップ部材７０の室内側に位置する側壁部４３に沿うようにほぼ直角に屈曲した後、室外側に向けてほぼ直角に屈曲したもので、側壁部４３において換気框３０の長手に沿った寸法内に配設してある。可撓板部６２の延在端部には、取付基板部６１から離隔する方向に向けて突出片部６３が設けてある。突出片部６３は、取付基板部６１から離隔するに従って漸次室外側となるように傾斜延在した後、取付基板部６１に向けて湾曲延在したものである。突出片部６３において取付基板部６１に向けて延在した部分は、取付基板部６１に対してほぼ直角となっている。突出片部６３の延在端部は、側壁部４２，４３の端縁から突出し、かつキャップ部材７０の室内側に位置する側壁部４３を縦框２１の支持ヒレ部２０２に当接させた場合に縦框２１の装着溝２０３とほぼ同じ位置となるように構成してある。係合部材６０は、左右のキャップ部材７０で同一形状のものを適用している。
【００３７】
上記のように構成したキャップ部材７０及び係合部材６０を備える換気框３０では、取付部３１の室内に臨む見付け面３１ｂ及びキャップ部材７０の室内側に位置する側壁部４３にそれぞれ接着剤もしくは両面テープを装着した後、上框２２の装着溝２０３に係合ヒレ部３１ａを挿入しながら、取付部３１の室内に臨む見付け面３１ｂを上框２２の支持ヒレ部２０２に押し付けて支持させるとともに、キャップ部材７０の室内側に位置する側壁部４３を縦框２１の支持ヒレ部２０２に押し付けて支持させれば、係合部材６０の突出片部６３が縦框２１の装着溝２０３に挿入された状態となる。
【００３８】
すなわち、換気框３０を縦框２１の相互間に配置する際には、図１２（ａ）に示すように、キャップ部材７０から突出した係合部材６０の突出片部６３が傾斜面６３ａを介して縦框２１に当接するため、傾斜面６３ａの傾斜作用により、図１２（ｂ）に示すように、可撓板部６２が弾性的に変形し、突出片部６３がキャップ部材７０に向けて一旦引っ込んだ状態となる。従って、そのままの状態で換気框３０を左右の縦框２１の相互間に配置させることが可能となる。その後、係合部材６０は、キャップ部材７０の室内側に位置する側壁部４３が縦框２１の支持ヒレ部２０２に支持されるまでの間に突出片部６３が縦框２１の装着溝２０３に対向することになり、図１２（ｃ）に示すように、可撓板部６２の弾性復元力によって突出片部６３が装着溝２０３に挿入された状態となる。従って、係合部材６０を何ら操作する必要がなく、換気框３０の取付作業を容易化することができる。なお、一旦装着溝２０３に挿入された突出片部６３は、取付基板部６１に対してほぼ直角となる部分が当接する。従って、係合部材６０は、装着溝２０３に当接した状態が維持され、キャップ部材７０が支持ヒレ部２０２から離隔する方向の移動を制限することができる。
【００３９】
なお、実施の形態１及び実施の形態２では、いずれもキャップ部材４０，７０に係合部材５３，６０を設けるようにしているが、押縁２６と別個に構成されたものであれば、必ずしもこれに限定されない。例えば、縦框２１に係合部材を設けるようにしても良いし、後述する実施の形態３のように、換気框を取り付けた後、キャップ部材と縦框との間に係合部材を配置するようにしても良い。
【００４０】
（実施の形態３）
図１３は、本発明の実施の形態３である建具の要部を示したものである。図には明示していないが、ここで例示する建具は、実施の形態１と同様、枠体１０に対して室外側の外障子２０Ａ及び室内側の内障子２０Ｂをそれぞれ左右方向にスライド可能に配設した引き違い窓と称されるもので、実施の形態１とはキャップ部材８０及び係合部材９０の構成のみが異なったものである。以下、これらキャップ部材８０及び係合部材９０について説明し、実施の形態１と同様の構成については同一の符号を付してそれぞれの詳細説明を省略する。なお、キャップ部材８０が左右で対称形状であるのは実施の形態１と同様である。
【００４１】
実施の形態３の建具で適用するキャップ部材８０においては、室外側に位置する側壁部４２が厚板状に構成してある。この側壁部４２は、キャップ部材８０の室内側に位置する側壁部４３を縦框２１の支持ヒレ部２０２に当接させた場合に、端面が縦框２１の装着溝２０３に対向して配置されるように構成してあり、装着溝２０３に対向する部位にスリット（挿入溝）８１を有している。スリット８１は、平板状を成す係合部材９０の板厚とほぼ同じ幅に形成してあり、図には明示していないが、側壁部４２の端面及び下面に開口するように構成してある。係合部材９０については、左右のキャップ部材８０で同一形状のものを適用している。
【００４２】
上記のように構成したキャップ部材８０を備える換気框３０では、キャップ部材８０の側壁部４２，４３からは突出する部材がないため、換気框３０を取り付ける際の作業性を損なうことがない。換気框３０及びキャップ部材８０をそれぞれ対応する框材２１，２２の支持ヒレ部２０２に接着させた後においては、係合部材９０をキャップ部材８０のスリット８１及び縦框２１の装着溝２０３にわたって挿入すれば良い。
【００４３】
この状態においては、換気框３０の両端部に設けたキャップ部材８０が縦框２１の支持ヒレ部２０２に接着され、かつ係合部材９０によってキャップ部材８０と縦框２１とが互いに係合された状態となる。これらの結果、換気框３０は、上框２２及び縦框２１に対して見込み方向に沿った移動及び上下方向への移動が制限された状態で框組２４に取り付けられることになる。この実施の形態３の建具によれば、実施の形態１と同様の作用効果に加え、係合部材９０の構成が単純であるため、製造コストの点で有利となる。
【００４４】
なお、実施の形態３では、係合部材９０の室外に臨む表面を覆うように側壁部４２にスリット８１を設けるようにしているが、必ずしもこれに限らず、図１４の変形例２に示すように、室外に臨む部分が一部開放するように側壁部４２にスリット８１を設けるようにしても良い。この場合、係合部材９０は、内周側の一部のみがスリット８１に装着され、室外に臨む表面の大部分が外部に露出するようになるものの、キャップ部材８０が支持ヒレ部２０２からの離隔する方向への移動を制限するように機能することが可能である。
【００４５】
また、実施の形態１〜実施の形態３では、係合部材５３，６０，９０を直接キャップ部材４０，７０，８０と縦框２１とに係合させるようにしているが、本発明はこれに限定されない。例えば、後述する実施の形態４のように、換気框と縦框との間に係合部材を設けることも可能である。
【００４６】
（実施の形態４）
図１５は、本発明の実施の形態４である建具の要部を示したものである。図には明示していないが、ここで例示する建具は、実施の形態１と同様、枠体１０に対して室外側の外障子２０Ａ及び室内側の内障子２０Ｂをそれぞれ左右方向にスライド可能に配設した引き違い窓と称されるもので、実施の形態１とは係合部材１００の構成が異なったものである。以下、係合部材１００について説明し、実施の形態１と同様の構成については同一の符号を付してそれぞれの詳細説明を省略する。
【００４７】
実施の形態４の建具で適用する係合部材１００は、換気框３０の面材保持部３２において内周側となる見込み面３２ａに沿って配置される第１板部１０１と、縦框２１の内周側となる見込み面２０１ａに沿って配置される第２板部１０２とを有したものである。第１板部１０１及び第２板部１０２は、金属によって一体に成形してあり、個々の先端部にネジ挿通孔１０１ａ，１０２ａを有している。図からも明らかなように、第１板部１０１は、換気框３０の長手に沿った寸法がキャップ部材４０よりも大きく構成してある。第１板部１０１のネジ挿通孔１０１ａは、第２板部１０２を縦框２１の見込み面２０１ａに当接させた場合に換気框３０に対応する部位に形成してある。なお、実施の形態４のキャップ部材４０には、弾性係合片４５に相当する構成が設けられていない。
【００４８】
上述の係合部材１００を備える建具において換気框３０を取り付ける場合には、キャップ部材４０の側壁部４２，４３からは突出する部材がないため、換気框３０を取り付ける際の作業性を損なうことがない。換気框３０及びキャップ部材４０をそれぞれ対応する框材２１，２２の支持ヒレ部２０２に接着させた後においては、係合部材１００の第１板部１０１を換気框３０の見込み面３２ａに当接させるとともに、第２板部１０２を縦框２１の見込み面２０１ａに当接させ、この状態からそれぞれのネジ挿通孔１０１ａ，１０２ａを介してネジを螺合すれば良い。
【００４９】
この状態においては、係合部材１００により、換気框３０を介してキャップ部材４０と縦框２１とが互いに係合された状態となる。これらの結果、換気框３０は、上框２２及び縦框２１に対して見込み方向に沿った移動及び上下方向への移動が制限された状態で框組２４に取り付けられることになる。
【００５０】
（実施の形態５）
図１６及び図１７は、本発明の実施の形態５である建具の要部を示したものである。ここで例示する建具は、実施の形態１と同様、枠体１０に対して外障子２０Ａ及び内障子２０Ｂをそれぞれ左右方向にスライド可能に配設した引き違い窓と称されるもので、実施の形態１とはキャップ部材１１０及び係合部材１２０の構成のみが異なったものである。以下、これらキャップ部材１１０及び係合部材１２０について説明し、実施の形態１と同様の構成については同一の符号を付してそれぞれの詳細説明を省略する。なお、キャップ部材１１０が左右で対称形状であるのは実施の形態１と同様である。
【００５１】
実施の形態５の建具で適用するキャップ部材１１０は、図１８及び図１９に示すように、直方体状を成すキャップ本体部１１１と、プレート状を成すキャップカバー部１１２とを備えて構成してある。
【００５２】
キャップ本体部１１１は、基板部１１３と、３つの外側壁部１１４，１１５，１１６と、内側壁部１１７とを一体に成形したものである。基板部１１３は、平板状を成すもので、換気框３０の端面において補助装着溝３２ｃの延長域を除く部分を覆うことのできる形状に構成してある。この基板部１１３には、ネジ挿通孔１１３ａ及び切欠１１３ｂが設けてある。ネジ挿通孔１１３ａは、キャップ本体部１１１を換気框３０に取り付けるためのネジＳを挿通するため貫通孔であり、上下に２つ設けてある。切欠１１３ｂは、上下に沿って形成した縦長矩形状の開口であり、基板部１１３の室外側となる縁部よりもわずかに室内側となる位置に形成してある。図からも明らかなように、切欠１１３ｂは、上下に沿った長さが基板部１１３よりも短く、上下方向のほぼ中央となる位置に設けてある。外側壁部１１４，１１５，１１６は、基板部１１３の外周側、内周側及び室内側となる３つの縁部に設けたものである。基板部１１３からの外側壁部１１４，１１５，１１６の突出寸法は、実施の形態１で示したキャップ部材４０の側壁部４３とほぼ同じである。内側壁部１１７は、切欠１１３ｂの上下となる位置にそれぞれ設けたものである。この内側壁部１１７には、位置決め孔１１７ａ及び係止孔１１７ｂが設けてある。位置決め孔１１７ａ及び係止孔１１７ｂは、それぞれ矩形の開口を有した貫通孔であり、内側壁部１１７において切欠１１３ｂを挟んで上下となる部分のそれぞれに形成してある。
【００５３】
キャップカバー部１１２は、キャップ本体部１１１の内側壁部１１７を室外側から覆うためのものである。このキャップカバー部１１２には、位置決め突部１１２ａ及び係止突部１１２ｂが設けてある。位置決め突部１１２ａは、断面が矩形の柱状を成すもので、内側壁部１１７の位置決め孔１１７ａに嵌合することのできる大きさに形成してある。係止突部１１２ｂは、先端部に爪部１１２ｃを有したもので、内側壁部１１７の係止孔１１７ｂに挿通することのできる大きさに形成してある。係止突部１１２ｂの爪部１１２ｃは、内側壁部１１７の係止孔１１７ｂに挿通した場合に内側壁部１１７の裏面に係合することにより、キャップカバー部１１２をキャップ本体部１１１に対して着脱可能に保持させるものである。
【００５４】
上述したキャップ部材１１０には、固定金具１３０が取り付けてある。固定金具１３０は、キャップ部材１１０に対して係合部材１２０を取り付けるための機能を付与するとともに、キャップ部材１１０を換気框３０に取り付けるためのものである。本実施の形態５では、図２０に示すように、固定基板部１３１及び位置決め板部１３２が鋼材等の金属によって一体に成形された固定金具１３０を例示している。
【００５５】
固定基板部１３１は、図２１及び図２２に示すように、キャップ本体部１１１の基板部１１３に対して外側の表面１１３ｃに取り付けられるもので、基板部１１３に沿って上下に縦長となるように形成してある。この固定基板部１３１には、ネジ孔１３１ａ及び框取付部１３１ｂ，１３１ｃ，１３１ｄが設けてある。ネジ孔１３１ａは、基板部１１３のネジ挿通孔１１３ａに対応する部分に形成したものである。つまり、キャップ本体部１１１のネジ挿通孔１１３ａを介して固定基板部１３１のネジ孔１３１ａにそれぞれネジＳを螺合することにより、固定基板部１３１がキャップ本体部１１１の表面１１３ｃに取り付けられることになる。框取付部１３１ｂ，１３１ｃ，１３１ｄは、固定基板部１３１を換気框３０に取り付ける際にネジ１３１ｅが螺合される部分であり、固定基板部１３１の上下両端部及び室内側となる縁部に設けてある。固定基板部１３１の上方に設けた框取付部１３１ｂは、換気框３０の取付部３１にネジ止めされるもので、固定基板部１３１の下方に設けた框取付部１３１ｃは、換気框３０の面材保持部３２にネジ止めされるもので、それぞれキャップ本体部１１１から離隔する方向に向けて延在している。固定基板部１３１の室内側となる縁部に設けた框取付部１３１ｄは、室内側開閉機構３０２にネジ止めされるもので、キャップ本体部１１１から離隔する方向に向けて延在している。
【００５６】
位置決め板部１３２は、固定基板部１３１の室外側となる縁部からキャップ本体部１１１の切欠１１３ｂを介して基板部１１３を貫通し、内側壁部１１７の相互間に配置された板状のものである。この位置決め板部（固定手段）１３２には、固定用ネジ孔（固定手段）１３２ａ、位置決め突起１３２ｂ及び位置決め孔１３２ｃが設けてある。固定用ネジ孔１３２ａは、位置決め板部１３２を見込み方向に沿って貫通するように形成したものである。位置決め突起１３２ｂは、位置決め板部１３２の上縁において外周側に位置する部分から上方に突出したものである。位置決め孔１３２ｃは、固定用ネジ孔１３２ａの下方となる部分に設けた貫通孔である。
【００５７】
一方、実施の形態５で適用する係合部材１２０は、図２３に示すように、取付板部１２１、係合端部１２２、押縁保持片部１２３を鋼材等の金属によって一体に成形したものである。取付板部１２１は、位置決め板部１３２に重ね合わせた状態で固定金具１３０に連結されるもので、ネジ挿通孔１２１ａ及び２つの回転規制片１２１ｂを有している。ネジ挿通孔１２１ａは、位置決め板部１３２の固定用ネジ孔１３２ａに対応して形成した貫通孔である。回転規制片１２１ｂは、取付板部１２１においてネジ挿通孔１２１ａを中心として互いに１８０°ずれた上下位置から室内側に向けて突出したものである。より詳細に説明すると、ネジ挿通孔１２１ａが位置決め板部１３２の固定用ネジ孔１３２ａに対向して配置された場合に位置決め板部１３２の上縁１３２ｄ及び位置決め孔１３２ｃに対応する部分に形成してある。係合端部１２２は、縦框（支持フレーム材）２１の装着溝２０３に挿入されるものである。この係合端部１２２は、取付板部１２１のネジ挿通孔１２１ａが位置決め板部１３２の固定用ネジ孔１３２ａに対向して配置された場合に外側壁部１１４，１１５，１１６の端縁から突出した係合位置となるように取付板部１２１に設けてある。図からも明らかなように、係合端部１２２の上下に沿った寸法は、取付板部１２１よりも大きく構成してある。押縁保持片部１２３は、係合端部１２２において下方の内側壁部１１７に対向する部分から下方に向けて延在したものである。図２５に示すように、この押縁保持片部１２３は、下方に向けて漸次室外側に傾斜した後に屈曲して見付け方向に延在しており、図２４及び図２５に示すように、換気框３０の補助装着溝３２ｃに装着された押縁２６の装着片部２６ａに対して室外側から当接することが可能である。
【００５８】
上記のように構成したキャップ部材１１０及び係合部材１２０を備える建具においては、換気框３０を取り付ける際に、図２５に示すように、係合部材１２０を取り外し、キャップ本体部１１１及び固定金具１３０を換気框３０の両端部に取り付けた状態で行うことができる。従って、キャップ本体部１１１の外側壁部１１４，１１５，１１６からは突出する部材がないため、換気框３０を取り付ける際の作業性を損なうことがない。換気框３０及びキャップ本体部１１１をそれぞれ対応する框材２１，２２の支持ヒレ部２０２に接着させた後においては、係合端部１２２を縦框２１の装着溝２０３に配置した状態でネジ挿通孔１２１ａを介して固定用ネジ孔１３２ａに固定ネジ（固定手段）１５０を螺合することにより、固定金具１３０を介して係合部材１２０をキャップ本体部１１１に取り付ければ、係合部材１２０によってキャップ本体部１１１と縦框２１とが互いに係合された状態となる。この結果、換気框３０は、上框２２及び縦框２１に対して見込み方向に沿った移動及び上下方向への移動が制限された状態で框組２４に取り付けられることになる。固定ネジ１５０を螺合する作業においては、係合部材１２０を固定金具１３０に重ね合わせた際に回転規制片１２１ｂが位置決め板部１３２の上縁１３２ｄ及び位置決め孔１３２ｃに係合し、係合部材１２０と固定金具１３０との相対回転が規制された状態となっている。従って、単一の固定ネジ１５０を螺合する場合にも、係合部材１２０を押さえている必要がなくなり、取付作業を煩雑化することなく部品点数の削減を図ることができる。最後に、キャップ本体部１１１にキャップカバー部１１２を取り付ければ、係合部材１２０が外部に露出することはなく、外観品質が損なわれるおそれもない。
【００５９】
なお、上述した実施の形態５では、係合部材１２０に押縁保持片部１２３を設けるようにしているため、延長装着溝を有していないキャップ部材１１０においても、押縁２６の位置ずれを防止することが可能となる。しかしながら、本発明は必ずしも係合部材１２０が押縁保持片を有している必要はない。例えば、図２６及び図２７の変形例３に示すように、押縁保持片を省略した係合部材２２０を用いるようにしても良い。なお、変形例３において実施の形態５と同様の構成については同一の符号が付してある。この変形例３においても、換気框３０を取り付ける際の作業性に関する作用効果、固定ネジ１５０の螺合作業が容易化する作用効果については、実施の形態５と同様に奏することが可能である。
【００６０】
また、上述した実施の形態５では、固定ネジ１５０を螺合することによって係合部材１２０をキャップ部材１１０に取り付けるようにしているが、本発明はこれに限定されず、かしめ固定したり、接着固定して係合部材をキャップ部材に取り付けるようにしても良い。なお、固定ネジ１５０を適用する場合に上述した実施の形態５では、キャップ部材１１０とは別体の固定金具１３０に固定用ネジ孔１３２ａを設けるようにしているが、キャップ部材１１０に直接固定用ネジ孔を設けても良い。またさらに、回転規制部材として係合部材１２０の取付板部１２１から突出する突起状の回転規制片１２１ｂを例示しているが、本発明は必ずしもこれに限定されず、取付板部１２１が固定金具１３０の位置決め板部１３２に重ね合わされた状態で相対回転を規制することができれば、その他の形状のものであっても良いし、位置決め板部１３２に回転規制部材を設けるようにしても構わない。
【００６１】
なお、上述した実施の形態１〜実施の形態５及び変形例では、引き違い窓の障子に換気框を設けたものを例示しているが、本発明はこれに限定されず、引き違い窓以外の建具に適用される障子にも適用することが可能である。また、必ずしも障子に限らず、枠体に直接面材を支持させたＦＩＸ窓に換気フレーム材を設ける場合にも適用することが可能である。これらの場合、上方のフレーム材に換気フレーム材を設ける必要はなく、下方のフレーム材に換気フレーム材を設ける場合にも適用可能である。さらに、支持フレーム材を上下に配置した建具においては、左右のフレーム材に換気フレーム材を設ける場合に適用可能である。またさらに、支持フレーム材及び換気フレーム材として樹脂によって成形したものを例示しているが、必ずしもこれに限定されない。またさらに、キャップ部材として、支持フレーム材の支持ヒレ部に支持させた（具体的には接着剤や両面テープを介して当接させた）場合に、支持フレーム材の装着溝を覆う寸法を有したものを適用しているが、本発明は必ずしもこれに限定されない。
【００６２】
以上のように、本発明に係る建具は、互いに間隔を確保して配置される２つの支持フレーム材と、前記２つの支持フレーム材の間に架け渡すように設けられた換気フレーム材とを備え、前記支持フレーム材には、面材の一方の表面を支持する支持ヒレ部が設けられているとともに、前記面材の他方の表面を支持するための押縁が装着される装着溝が設けられ、前記換気フレーム材は、両端部に装着したキャップ部材の間に見込み方向に沿った通気を可能とする換気機構を備え、前記キャップ部材の一方の壁部を介して前記支持フレーム材の支持ヒレ部に支持されるものであり、前記キャップ部材と前記支持フレーム材との間には、前記キャップ部材が前記支持ヒレ部から離隔する方向の移動を制限し、かつ前記押縁とは別個に構成された規制手段が設けられていることを特徴としている。
この発明によれば、換気フレーム材のキャップ部材を押縁とは別個の規制手段と支持フレーム材の支持ヒレ部とによって支持するようにしている。このため、押縁によってキャップ部材を挟持する必要がなく、キャップ部材の表面位置と面材の表面位置との差が押縁と面材の表面との相対位置に影響を及ぼすことがない。これにより、気密性や水密性に影響を与えることなく換気フレーム材を支持することが可能となる。
【００６３】
また本発明は、上述した建具において、前記規制手段は、前記キャップ部材に設けられ、延在端部が前記支持フレーム材の装着溝に挿入される係合部材を備えていることを特徴としている。
この発明によれば、係合部材がキャップ部材と支持フレーム材の装着溝との間に介在するだけであるため、外部に露出する事態を防止することができ、外観品質が損なわれる事態を招来するおそれがない。
【００６４】
また本発明は、上述した建具において、前記係合部材は、前記キャップ部材に対して移動可能に支持され、前記支持フレーム材の装着溝から逸脱した退避位置と、前記支持フレーム材の装着溝に挿入された係合位置とに変位することを特徴としている。
この発明によれば、係合部材を退避位置に保持した状態で換気フレーム材を取り付け、その後に係合部材を支持フレーム材の装着溝に挿入させることができる。従って、換気フレーム材の取付作業を煩雑化する事態を招来することがない。
【００６５】
また本発明は、上述した建具において、前記係合部材は、弾性部材によって成形され、延在端部が前記キャップ部材から突出する位置に配置されたものであり、前記係合部材において前記キャップ部材から突出した部分には傾斜面が設けられ、前記傾斜面は、前記キャップ部材から突出するに従って前記一方の壁部との距離が漸次増大するように傾斜していることを特徴としている。
この発明によれば、換気フレーム材を取り付ける際に係合部材の傾斜面に支持フレーム材が当接すると、傾斜作用によって係合部材がキャップ部材に向けて一旦引っ込んだ状態となる。その後、係合部材が支持フレーム材の装着溝に対向した位置に至ると、弾性復元力によって装着溝に挿入された状態となる。従って、係合部材を操作する必要がなく、換気フレーム材の取付作業を容易化することが可能である。
【００６６】
また本発明は、上述した建具において、前記規制手段は、前記換気フレーム材と前記支持フレーム材との間にわたって配置され、これら換気フレーム材及び支持フレーム材に対してそれぞれネジによって固定された係合部材を備えていることを特徴としている。
この発明によれば、係合部材を換気フレーム材及び支持フレーム材に固定することにより、換気フレーム材を介してキャップ部材が支持ヒレ部から離隔する方向の移動を制限することができる。従って、キャップ部材としては、単に換気フレーム材の端部を塞ぐ機能を有しているものを適用すれば良く、構造を単純化することができる。
【００６７】
また本発明は、上述した建具において、前記キャップ部材は、前記支持フレーム材の装着溝に対向する部分に挿入溝が設けられたものであり、前記規制手段は、前記キャップ部材の挿入溝と前記支持フレーム材の装着溝との間にわたって配置される平板状の係合部材を備えていることを特徴としている。
この発明によれば、係合部材をキャップ部材の挿入溝と支持フレーム材の装着溝との間にわたって配置すれば良いため、換気フレーム材の取付作業を容易化することが可能となる。
【００６８】
また本発明は、上述した建具において、前記規制手段は、前記キャップ部材と前記支持フレーム材の装着溝との間にわたって配置され、固定手段によって前記キャップ部材に取り付けられる係合部材を備えていることを特徴としている。
この発明によれば、係合部材をキャップ部材と支持フレーム材の装着溝との間にわたって配置し、固定手段によってキャップ部材に取り付ければ良いため、換気フレーム材の取付作業を煩雑化することなく係合部材の取付状態をより確実化することが可能となる。
【００６９】
また本発明は、上述した建具において、前記キャップ部材には、固定用ネジ孔が設けられた固定金具が取り付けられ、固定ネジを前記固定用ネジ孔に螺合することによって前記係合部材が前記キャップ部材に取り付けられていることを特徴としている。
この発明によれば、固定ネジを固定金具の固定用ネジ孔に螺合しているため、温度変化や経年の影響によってネジが脱落する事態を防止することができる。
【００７０】
また本発明は、上述した建具において、前記係合部材と前記固定金具との間には、相対回転を制限する回転規制部材が設けられていることを特徴としている。
この発明によれば、係合部材と固定金具との間に固定ネジを唯一螺合する場合にも係合部材を押さえている必要がなくなり、取付作業を煩雑化することなく部品点数の削減を図ることができる。
【００７１】
また本発明は、上述した建具において、前記換気フレーム材には、前記面材の一方の表面を支持する面材保持部が設けられているとともに、前記面材の他方の表面を支持するための押縁が装着される補助装着溝が設けられ、前記係合部材には、前記補助装着溝に装着された押縁の装着片部を保持する押縁保持片部が設けられていることを特徴としている。
この発明によれば、換気フレーム材に設けた押縁の端部が係合部材の押縁保持片部によって押さえられることになり、押縁の位置ずれを防止することができる。
【符号の説明】
【００７２】
２１  縦框、２５  面材、２６  押縁、２６ａ  装着片部、３０  換気框、３２  面材保持部、３２ｃ  補助装着溝、３３ａ  通気孔、４０，７０，８０，１１０  キャップ部材、４３  一方の壁部、５３，６０，９０，１００，１２０  係合部材、１２１ｂ  回転規制片、１２３  押縁保持片部、１３０  固定金具、１３２ａ  固定用ネジ孔、１５０  固定ネジ、２０２  支持ヒレ部、２０３  装着溝、３０１  室外側開閉機構、３０２  室内側開閉機構
【図１】
2019218850.tif 000003
【図２】
2019218850.tif 000004
【図３】
2019218850.tif 000005
【図４】
2019218850.tif 000006
【図５】
2019218850.tif 000007
【図６】
2019218850.tif 000008
【図７】
2019218850.tif 000009
【図８】
2019218850.tif 000010
【図９】
2019218850.tif 000011
【図１０】
2019218850.tif 000012
【図１１】
2019218850.tif 000013
【図１２】
2019218850.tif 000014
【図１３】
2019218850.tif 000015
【図１４】
2019218850.tif 000016
【図１５】
2019218850.tif 000017
【図１６】
2019218850.tif 000018
【図１７】
2019218850.tif 000019
【図１８】
2019218850.tif 000020
【図１９】
2019218850.tif 000021
【図２０】
2019218850.tif 000022
【図２１】
2019218850.tif 000023
【図２２】
2019218850.tif 000024
【図２３】
2019218850.tif 000025
【図２４】
2019218850.tif 000026
【図２５】
2019218850.tif 000027
【図２６】
2019218850.tif 000028
【図２７】
2019218850.tif 000029